(57)【特許請求の範囲】
【請求項１】
体温モニタリング装置であって、
マスクに併せて使用され、前記マスクは、マスク本体と、前記マスク本体に設けられるマスクゴムとを含み、前記体温モニタリング装置は、マスクゴム接続部材と、前記マスクゴム接続部材に組み込まれる検温モジュールとを含み、
前記マスクゴム接続部材は、肌結合部とマスクゴム結合部とを含み、前記検温モジュールは前記肌結合部に設けられ、前記マスクゴム結合部には、前記マスクゴムに結合する少なくとも１本の係止溝が設けられる、
ことを特徴とする体温モニタリング装置。
【請求項２】
前記マスクゴム接続部材の少なくとも一部に結合する造形用部材をさらに含む、
ことを特徴とする請求項１に記載の体温モニタリング装置。
【請求項３】
前記造形用部材は、前記マスクゴム接続部材内部に配置される金属線を含む、
ことを特徴とする請求項２に記載の体温モニタリング装置。
【請求項４】
前記マスクゴム結合部に複数の前記係止溝が設けられ、前記マスクゴム接続部材は中央部分を含み、複数の前記係止溝は、前記マスクゴム接続部材の長手方向において前記中央部分に対して左右対称に設けられる、
ことを特徴とする請求項１に記載の体温モニタリング装置。
【請求項５】
前記検温モジュールは、検温素子と温度センサを含み、前記検温素子は前記肌結合部の表面に設けられ、前記温度センサは前記検温素子に結合する、
ことを特徴とする請求項１に記載の体温モニタリング装置。
【請求項６】
前記肌結合部は、前記マスクゴム接続部材の両端部に位置し、対向して設けられる内面と外面を含み、前記検温素子は、少なくとも１つの前記肌結合部の前記内面及び／又は前記外面に設けられる、
ことを特徴とする請求項５に記載の体温モニタリング装置。
【請求項７】
前記検温素子は、金属板を含む、
ことを特徴とする請求項５に記載の体温モニタリング装置。
【請求項８】
前記検温モジュールは、赤外線送受信機を含む、
ことを特徴とする請求項１に記載の体温モニタリング装置。
【請求項９】
前記検温モジュールに電気的に接続されてモバイルデバイスに関連付けられている無線関連付けモジュールをさらに含む、
ことを特徴とする請求項１に記載の体温モニタリング装置。
【請求項１０】
マスクと、請求項１〜９のいずれか１項に記載の体温モニタリング装置とを含み、前記マスクは、マスク本体と、前記マスク本体に設けられるマスクゴムとを含み、前記体温モニタリング装置は、前記マスクゴムに結合する、
ことを特徴とするマスクアセンブリ。
【請求項１１】
請求項１〜９のいずれか１項に記載の体温モニタリング装置、又は請求項１０に記載のマスクアセンブリに適用され、
ユーザが前記体温モニタリング装置又は前記マスクアセンブリを着用している間の体温履歴データを取得するステップと、
前記体温履歴データをモバイルデバイス及び／又はクラウドサーバに送信するステップと、を含む、
ことを特徴とする入退室制御方法。
【請求項１２】
入退室管理装置に適用され、
入退室管理カードに由来する身分情報を受信するステップと、
前記身分情報に対応する体温履歴データをクラウドサーバから取得するステップであって、前記体温履歴データは、検温装置及び／又はモバイルデバイスによってクラウドサーバに送信されるステップであって、前記検温装置及び／又はモバイルデバイスは、請求項１〜９のいずれか１項に記載の体温モニタリング装置又は請求項１０に記載のマスクアセンブリから前記体温履歴データを取得するステップと、
予め設定された検証パラメータが出入り制限解除条件を満たすか否かを判断し、条件が満たされる場合、出入り制限解除信号を送信するステップであって、前記予め設定された検証パラメータは、少なくとも前記身分情報及び前記身分情報に対応する前記体温履歴データを含むステップと、を含む、
ことを特徴とする入退室制御方法。
【請求項１３】
請求項１〜９のいずれか１項に記載の体温モニタリング装置、又は請求項１０に記載のマスクアセンブリに適用され、
ユーザが前記体温モニタリング装置又は前記マスクアセンブリを着用している間の体温履歴データを取得する第１の取得ユニットと、
前記体温履歴データをモバイルデバイス及び／又はクラウドサーバに送信する送信ユニットと、を含む、
ことを特徴とする入退室制御装置。
【請求項１４】
入退室管理装置に適用され、
入退室管理カードに由来する身分情報を受信する受信ユニットと、
前記身分情報に対応する体温履歴データをクラウドサーバから取得する第２の取得ユニットであって、前記体温履歴データは、検温装置及び／又はモバイルデバイスによってクラウドサーバに送信される第２の取得ユニットであって、前記検温装置及び／又はモバイルデバイスは、請求項１〜９のいずれか１項に記載の体温モニタリング装置又は請求項１０に記載のマスクアセンブリから前記体温履歴データを取得する第２の取得ユニットと、
予め設定された検証パラメータが出入り制限解除条件を満たすか否かを判断し、条件が満たされる場合、出入り制限解除信号を送信する判断ユニットであって、前記予め設定された検証パラメータは、少なくとも前記身分情報及び前記身分情報に対応する前記体温履歴データを含む判断ユニットと、を含む、
ことを特徴とする入退室制御装置。
【請求項１５】
請求項１〜９のいずれか１項に記載の体温モニタリング装置、入退室管理装置及びクラウドサーバを含み、
検温装置は、ユーザが前記体温モニタリング装置又はマスクアセンブリを着用している間の体温履歴データを取得することに用いられ、
前記クラウドサーバは、少なくとも一部の予め設定された検証パラメータを記憶及び管理することに用いられ、前記少なくとも一部の前記予め設定された検証パラメータは、前記検温装置及び／又はモバイルデバイスによって前記クラウドサーバに送信された前記体温履歴データを含み、
前記入退室管理装置は、前記クラウドサーバに接続され、予め設定された検証パラメータが出入り制限解除条件を満たすか否かを判断し、条件が満たされる場合、出入り制限解除信号を送信して前記出入り制限解除信号に基づいて出入り制限を解除することに用いられ、前記予め設定された検証パラメータは、少なくとも身分情報及び前記身分情報に対応する前記体温履歴データを含む、
ことを特徴とする入退室制御システム。
【請求項１６】
請求項１〜９のいずれか１項に記載の体温モニタリング装置、入退室管理装置及びクラウドサーバを含み、
検温装置は、ユーザが前記体温モニタリング装置又はマスクアセンブリを着用している間の体温履歴データを取得することに用いられ、
前記クラウドサーバは、少なくとも一部の予め設定された検証パラメータを記憶及び管理して予め設定された検証パラメータが出入り制限解除条件を満たすか否かを判断し、条件が満たされる場合、出入り制限解除信号を送信することに用いられ、前記予め設定された検証パラメータは、少なくとも身分情報及び前記身分情報に対応する前記体温履歴データを含み、前記少なくとも一部の前記予め設定された検証パラメータは、前記検温装置及び／又はモバイルデバイスによって前記クラウドサーバに送信された体温履歴データを含み、
前記入退室管理装置は、前記クラウドサーバに接続され、前記出入り制限解除信号を受信する場合に、出入り制限を解除することに用いられる、
ことを特徴とする入退室制御システム。
【請求項１７】
コンピュータ命令が記憶されるコンピュータ読み取り可能な記録媒体であって、該命令は、プロセッサによって実行される場合に、請求項１１に記載の方法を実現する、
ことを特徴とするコンピュータ読み取り可能な記録媒体。
【請求項１８】
コンピュータ命令が記憶されるコンピュータ読み取り可能な記録媒体であって、該命令は、プロセッサによって実行される場合に、請求項１２に記載の方法を実現する、
ことを特徴とするコンピュータ読み取り可能な記録媒体。
【発明の詳細な説明】
【技術分野】
【０００１】
本開示は、電子技術分野に関し、特に体温モニタリング装置、マスクアセンブリ、入退室制御方法、装置及びシステムに関する。
【背景技術】
【０００２】
関連技術では、赤外線温度計、電子体温計のようなスマート体温計は、ある時刻のユーザの体温データを収集することによって、ユーザ現在の体温状況が正常であるか否かを判断することができる。しかしながら、人は異なるシーン又は異なる時刻での体温データが動的に変化するため、ある時刻のユーザの体温状況だけに基づく判断は正確ではないので、体温データのモニタリング効果と適用シーンも制限される。
【発明の概要】
【発明が解決しようとする課題】
【０００３】
本開示は、体温モニタリング装置、マスクアセンブリ、入退室制御方法、装置及びシステムを提供することにより、体温データをモニタリングする効果を向上させ、検温装置の適用シーンを充実させる。
【課題を解決するための手段】
【０００４】
本開示の第１態様に係る体温モニタリング装置が提供され、マスクに併せて使用され、前記マスクは、マスク本体と、前記マスク本体に設けられるマスクゴムとを含み、前記体温モニタリング装置は、マスクゴム接続部材と、前記マスクゴム接続部材に組み込まれる検温モジュールとを含む。
【０００５】
前記マスクゴム接続部材は、肌結合部とマスクゴム結合部とを含み、前記検温モジュールは前記肌結合部に設けられ、前記マスクゴム結合部には、前記マスクゴムに結合する少なくとも１本の係止溝が設けられる。
【０００６】
選択可能に、前記体温モニタリング装置は、前記マスクゴム接続部材の少なくとも一部に結合する造形用部材をさらに含む。
【０００７】
選択可能に、前記造形用部材は、前記マスクゴム接続部材内部に配置される金属線を含む。
【０００８】
選択可能に、前記マスクゴム結合部に複数の前記係止溝が設けられ、前記マスクゴム接続部材は中央部分を含み、複数の前記係止溝は、前記マスクゴム接続部材の長手方向において前記中央部分に対して左右対称に設けられる。
【０００９】
選択可能に、前記検温モジュールは、検温素子と温度センサを含み、前記検温素子は前記肌結合部の表面に設けられ、前記温度センサは前記検温素子に結合する。
【００１０】
選択可能に、前記肌結合部は、前記マスクゴム接続部材の両端部に位置し、前記肌結合部は、対向して設けられる内面と外面を含み、前記検温素子は、少なくとも１つの前記肌結合部の前記内面及び／又は前記外面に設けられる。
【００１１】
選択可能に、前記検温素子は金属板を含む。
【００１２】
選択可能に、前記検温モジュールは赤外線送受信機を含む。
【００１３】
選択可能に、前記体温モニタリング装置は、前記検温モジュールに電気的に接続されてモバイルデバイスに関連付けられている無線関連付けモジュールをさらに含む。
【００１４】
本開示の第２態様に係るマスクアセンブリが提供され、前記マスクアセンブリはマスクと前記体温モニタリング装置を含み、前記マスクは、マスク本体と、前記マスク本体に設けられるマスクゴムとを含み、前記体温モニタリング装置は前記マスクゴムに結合する。
【００１５】
本開示の第３態様に係る入退室制御方法が提供され、前記体温モニタリング装置又は前記マスクアセンブリに適用され、前記入退室制御方法は、
ユーザが前記体温モニタリング装置又は前記マスクアセンブリを着用している間の体温履歴データを取得するステップと、
前記体温履歴データをモバイルデバイス及び／又はクラウドサーバに送信するステップと、を含む。
【００１６】
本開示の第４態様に係る入退室制御方法が提供され、入退室管理装置に適用され、前記入退室制御方法は、
入退室管理カードに由来する身分情報を受信するステップと、
前記身分情報に対応する体温履歴データをクラウドサーバから取得するステップであって、前記体温履歴データは、検温装置及び／又はモバイルデバイスによってクラウドサーバに送信されるステップと、
予め設定された検証パラメータが出入り制限解除条件を満たすか否かを判断し、条件が満たされる場合、出入り制限解除信号を送信するステップであって、前記予め設定された検証パラメータは、少なくとも前記身分情報及び前記身分情報に対応する前記体温履歴データを含むステップと、を含む。
【００１７】
本開示の第５態様に係る入退室制御装置が提供され、前記体温モニタリング装置又は前記マスクアセンブリに適用され、前記入退室制御装置は、
ユーザが前記体温モニタリング装置又は前記マスクアセンブリを着用している間の体温履歴データを取得する第１の取得ユニットと、
前記体温履歴データをモバイルデバイス及び／又はクラウドサーバに送信する送信ユニットと、を含む。
【００１８】
本開示の第６態様に係る入退室制御装置が提供され、入退室管理装置に適用され、前記入退室制御装置は、
入退室管理カードに由来する身分情報を受信する受信ユニットと、
前記身分情報に対応する体温履歴データをクラウドサーバから取得する第２の取得ユニットであって、前記体温履歴データは、検温装置及び／又はモバイルデバイスによってクラウドサーバに送信される第２の取得ユニットと、
予め設定された検証パラメータが出入り制限解除条件を満たすか否かを判断し、条件が満たされる場合、出入り制限解除信号を送信する判断ユニットであって、前記予め設定された検証パラメータは、少なくとも前記身分情報及び前記身分情報に対応する前記体温履歴データを含む判断ユニットと、を含む。
【００１９】
本開示の第７態様に係る入退室制御システムが提供され、前記入退室制御システムは、前記体温モニタリング装置、入退室管理装置及びクラウドサーバを含む。
【００２０】
検温装置は、ユーザが前記体温モニタリング装置又はマスクアセンブリを着用している間の体温履歴データを取得することに用いられる。
【００２１】
前記クラウドサーバは、少なくとも一部の予め設定された検証パラメータを記憶及び管理することに用いられ、前記少なくとも一部の前記予め設定された検証パラメータは、前記検温装置及び／又はモバイルデバイスによって前記クラウドサーバに送信された体温履歴データを含む。
【００２２】
前記入退室管理装置は、前記クラウドサーバに接続され、予め設定された検証パラメータが出入り制限解除条件を満たすか否かを判断し、条件が満たされる場合、出入り制限解除信号を送信して前記出入り制限解除信号に基づいて出入り制限を解除することに用いられ、前記予め設定された検証パラメータは、少なくとも身分情報及び前記身分情報に対応する前記体温履歴データを含む。
【００２３】
本開示の第８態様に係る入退室制御システムが提供され、前記入退室制御システムは、前記体温モニタリング装置、入退室管理装置及びクラウドサーバを含む。
【００２４】
検温装置は、ユーザが前記体温モニタリング装置又はマスクアセンブリを着用している間の体温履歴データを取得することに用いられる。
【００２５】
前記クラウドサーバは、少なくとも一部の予め設定された検証パラメータを記憶及び管理して予め設定された検証パラメータが出入り制限解除条件を満たすか否かを判断し、条件が満たされる場合、出入り制限解除信号を送信することに用いられ、前記予め設定された検証パラメータは、少なくとも身分情報及び前記身分情報に対応する前記体温履歴データを含み、前記少なくとも一部の前記予め設定された検証パラメータは、前記検温装置及び／又はモバイルデバイスによって前記クラウドサーバに送信された体温履歴データを含む。
【００２６】
前記入退室管理装置は、前記クラウドサーバに接続され、前記出入り制限解除信号を受信する場合に、出入り制限を解除することに用いられる。
【００２７】
本開示の第９態様に係るコンピュータ読み取り可能な記録媒体が提供され、前記コンピュータ読み取り可能な記録媒体には、コンピュータ命令が記憶され、前記コンピュータ命令がプロセッサによって実行される場合に、前記体温モニタリング装置又は前記マスクアセンブリに適用される前記方法を実現する。
【００２８】
本開示の第１０態様に係るコンピュータ読み取り可能な記録媒体が提供され、前記コンピュータ読み取り可能な記録媒体には、コンピュータ命令が記憶され、前記コンピュータ命令がプロセッサによって実行される場合に、入退室管理装置に適用される前記方法を実現する。
【発明の効果】
【００２９】
本開示の実施例によって提供される技術的解決手段は、以下の有益な効果を含むことができる。
【００３０】
本開示の体温モニタリング装置は、マスクゴム接続部材と、マスクゴム接続部材に組み込まれる検温モジュールとを含み、マスクゴム接続部材のマスクゴム結合部には、マスクゴムと結合する係止溝が設けられ、検温モジュールはマスクゴム接続部材の肌結合部に設けられ、ユーザがマスクを着用している間、体温モニタリング装置は検温モジュールを介してユーザの動的な体温履歴データを取得することができ、体温データのモニタリング効果を向上させる。体温モニタリング装置を介して取得された体温履歴データには、ユーザがマスクを着用している時間帯全体の体温履歴データが含まれているため、上記体温履歴データに対するモニタリングと分析を通じてユーザの体温状態を正確に取得することができ、正確な体温状態が入退室制御に利用される場合に、特殊な時期における入退室制御の体温関連付け検証機能を追加することができ、入退室制御効率を向上させるとともに、検温装置の適用シーンを充実させる。
【００３１】
なお、上記の一般的な説明及び以下の詳細な説明は、例示的及び説明的なものに過ぎず、本開示を限定するものではないことを理解されたい。
【図面の簡単な説明】
【００３２】
ここでの図面は明細書に組み込まれるとともに本明細書の一部を構成し、本開示に一致する実施例を示し、かつ明細書とともに本開示の原理を説明することに用いられる。
【００３３】
【図１】本開示の例示的な一実施例に係る体温モニタリング装置の立体組立構造概略図である。
【図２】本開示の例示的な一実施例に係る湾曲していない状態の体温モニタリング装置の構造概略図である。
【図３】本開示の例示的な一実施例に係る湾曲している状態の体温モニタリング装置の構造概略図である。
【図４】本開示の例示的な一実施例に係る体温モニタリング装置の立体分解構造概略図である。
【図５】本開示の例示的な一実施例に係る体温モニタリング装置の適用シーンの概略図である。
【図６】本開示の例示的な一実施例に係るマスク組立の立体構造概略図である。
【図７】本開示の例示的な一実施例に係る入退室制御方法のフローチャートである。
【図８】本開示の例示的な一実施例に係る入退室制御装置の構造ブロック図である。
【図９】本開示の例示的な一実施例に示す入退室制御用装置のブロック図である。
【図１０】本開示の他の例示的な一実施例に係る入退室制御方法のフローチャートである。
【図１１】本開示の他の例示的な一実施例に係る入退室制御装置の構造ブロック図である。
【図１２】本開示の他の例示的な一実施例に示す入退室制御用装置のブロック図である。
【図１３】本開示の他の例示的な一実施例に示す入退室制御用装置のブロック図である。
【図１４】本開示の例示的な一実施例に係る入退室制御のインタラクション概略図である。
【図１５】本開示の他の例示的な一実施例に係る入退室制御のインタラクション概略図である。
【発明を実施するための形態】
【００３４】
以下、添付図面に示す例を参照しながら、本開示の例示的な実施例を詳しく説明する。以下の説明は図面に係る場合、特に明記しない限り、異なる図面における同じ数字は、同じ要素又は類似する要素を示す。以下の例示的な実施例で説明される実施例は、本開示と一致するすべての実施例を表すものではない。むしろ、それらは、添付の特許請求の範囲に詳細に記載されている、本開示の一部の側面と一致する装置及び方法の例に過ぎない。
【００３５】
関連技術において、赤外線温度計、電子体温計のようなスマート体温計は、ある時刻のユーザの体温データを収集することにより、ユーザの現在の体温状況が正常であるか否かを判断することができる。しかしながら、人は異なるシーン又は異なる時刻に体温データが動的に変化するため、ある時刻のユーザの体温状況だけに基づく判断は正確ではないので、体温データのモニタリング効果と適用シーンが制限される。
【００３６】
特に、インフルエンザウイルスや新型コロナウイルスなどの体温の異常が発生し得るウィルスが流行している時期には、各入退室管理システムの入口では、赤外線温度計、電子体温計等による手動検温は、体温データの正確度が低いという問題が存在するだけではなく、体温測定スタッフの仕事量を増加させ、感染リスクも高める。
【００３７】
本開示は、マスクに併せて使用される体温モニタリング装置を提供し、マスクは、マスク本体と、マスク本体に設けられるマスクゴムとを含み、体温モニタリング装置は、マスクゴム接続部材と、マスクゴム接続部材に組み込まれる検温モジュールとを含む。マスクゴム接続部材は、肌結合部とマスクゴム結合部を含み、検温モジュールは肌結合部に設けられ、マスクゴム結合部には、マスクゴムに結合する少なくとも１本の係止溝が設けられる。
【００３８】
上記体温モニタリング装置は、マスクゴム接続部材と、マスクゴム接続部材に組み込まれる検温モジュールとを含み、マスクゴム接続部材のマスクゴム結合部には、マスクゴムと結合する係止溝が設けられ、検温モジュールはマスクゴム接続部材の肌結合部に設けられる。ユーザは一日中マスクを着用している時間が４〜８時間にも達し、ユーザがマスクを着用している間、体温モニタリング装置は検温モジュールを介してユーザの動的な体温履歴データを取得することができ、体温データのモニタリング効果を向上させる。体温モニタリング装置を介して取得された体温履歴データには、ユーザがマスクを着用している時間帯全体の体温履歴データが含まれているため、上記体温履歴データに対するモニタリング及び分析によって、ユーザの最近の体温状態を正確に取得することができる。上記体温モニタリング装置によって得られたユーザの最近の体温状態をコンピュータ、モバイルデバイス、入退室管理装置、クラウドサーバなどにシェアすることにより、検温装置およびそれによって取得された体温データの適用シーンを充実させる。
【００３９】
図１は、本開示の例示的な一実施例に係る体温モニタリング装置の立体組立構造概略図である。図１に示すように、体温モニタリング装置１は、マスクゴム接続部材１１と、マスクゴム接続部材１１に組み込まれる検温モジュール１２とを含む。マスクゴム接続部材１１は、肌結合部１１２とマスクゴム結合部１１１を含み、検温モジュール１２は肌結合部１１２に設けられ、マスクゴム結合部１１１には、マスクゴム２２と結合する複数の係止溝１１１１が設けられる。
【００４０】
一部の実施例では、マスク２は、マスク本体２１と、マスク本体２１の両側に設けられる二つのマスクゴム２２とを含み、二つのマスクゴム２２は、マスク本体２１を固定するように、それぞれマスクゴム接続部材１１の係止溝１１１１に係止されている。マスクゴム接続部材１１の係止溝１１１１とマスクゴム２２との結合により、マスクゴム２２が耳に掛けられることによる疲れや痛みを回避し、マスク２の着用体験を向上させる。一実施例では、マスクゴム接続部材１１は中央部分１１３を含み、複数の係止溝１１１１は、マスクゴム接続部材１１の長手方向において中央部分１１３に対して左右対称に設けられる。即ち、中央部分１１３の両側にそれぞれマスクゴム結合部１１１が設けられ、片側のマスクゴム結合部１１１に設けられる係止溝１１１１と、他側のマスクゴム結合部１１１に設けられる係止溝１１１１とは、対称な位置にある。マスクゴム接続部材１１の中央部分１１３からマスクゴム結合部１１１への延在方向は、マスクゴム接続部材１１の長手方向とすることができる。マスクゴム接続部材１１は、変形、折り曲げ、およびマスクゴム２２との併用を容易にするように、ストリップ状のシート構造であっても良い。
【００４１】
図２に示すように、中央部分１１３の片側に設けられるマスクゴム結合部１１１の係止溝１１１１は、Ａ、Ｂ、Ｃの３組があり、中央部分１１３の他側に設けられるマスクゴム結合部１１１は、上記Ａ、Ｂ、Ｃの３組の係止溝１１１１と対称であるＤ、Ｅ、Ｆの３組の係止溝１１１１が設けられ、Ｃ組、Ｄ組の係止溝１１１１は中央部分１１３に対して左右対称に設けられ、Ｂ組、Ｅ組の係止溝１１１１は中央部分１１３に対して左右対称に設けられ、Ａ組、Ｆ組の係止溝１１１１は中央部分１１３に対して左右対称に設けられる。Ａ組、Ｂ組、Ｃ組とＤ組、Ｅ組、Ｆ組とは、各組の係止溝１１１１がマスクゴム接続部材１１の長手方向において離間して配置され、マスクゴム２２が異なる組の係止溝１１１１に掛けられる場合、異なる着用頭囲に適合することができ、着用の快適性を向上させる。例えば、二つのマスクゴム２２がそれぞれＡ組、Ｆ組の係止溝１１１１に掛けられる場合、第１のサイズの頭囲に適合することができ、二つのマスクゴム２２がそれぞれＢ組、Ｅ組の係止溝１１１１に掛けられる場合、第２のサイズの頭囲に適合することができ、二つのマスクゴム２２がそれぞれＣ組、Ｄ組の係止溝１１１１に掛けられる場合、第３のサイズの頭囲に適合することができる。第１のサイズは第２のサイズより大きく、第２のサイズは第３のサイズより大きい。さらに、各組は２つの係止溝１１１１が設けられてもよく、２つの係止溝１１１１は、マスクゴム２２がマスクゴム結合部１１１の対向する両縁部に対する引っ掛け結合を容易にするように、マスクゴム結合部１１１の対向する両縁部に設けられる。
【００４２】
さらに、上記係止溝１１１１は、枝状の係止溝を形成するように、マスクゴム接続部材１１の長手方向に対して傾斜して配置されてもよい。これにより、係止溝１１１１の底部から頂部への延在方向と、マスクゴム２２の引張方向とは鈍角をなし、マスクゴム２２の引っ掛けを容易にし、マスクゴム２２が係止溝１１１１に引っ掛けられている間の脱落を回避する。
【００４３】
一部の実施例では、図２、図３に示すように、体温モニタリング装置１はさらに造形用部材１３を含み、造形用部材１３は、マスクゴム接続部材１１の少なくとも一部と結合する。造形用部材１３は、自身の変形および変形を維持する特性を利用して、マスクゴム接続部材１１を自身と同様に変形させることができる。例えば、マスクゴム接続部材１１が、対向して設けられる内面と外面を含み、造形用部材１３は、マスクゴム接続部材１１の内面側へ折り曲げられるとき、マスクゴム接続部材１１を内面側へ折り曲げるとともに現在の折り曲げ状態を維持することができる。
【００４４】
体温モニタリング装置１は、１つ又は複数の造形用部材１３を含んでもよく、体温モニタリング装置１が１つの造形用部材１３を含む場合、該造形用部材１３は、マスクゴム接続部材１１の変形の柔軟性を向上させるように、マスクゴム接続部材１１の長手方向全域に結合してもよい。又は、体温モニタリング装置１が１つ又は複数の造形用部材１３を含む場合、造形用部材１３は、配置コストを削減するように、マスクゴム接続部材１１の中央部分１１３及び／又は両端部に結合しても良い。
【００４５】
なお、造形用部材１３は、マスクゴム接続部材１１内部の金属線であってもよいため、金属線の変形および変形を維持する特性を利用して、ユーザに適合するようにマスクゴム接続部材１１を変形させることができ、且つ金属線は曲げ特性に優れ、構造強度が高い。さらに、マスクゴム接続部材１１の材質は、マスクゴムと皮膚との触感および体温モニタリング装置１の着用体験を向上させるように、プラスチック、ソフトビニール等の材質であっても良い。
【００４６】
一部の実施例では、図４は、本開示の例示的な一実施例に係る検温装置の立体分解構造概略図で、図５は、本開示の例示的な一実施例に係る検温装置の適用シーンの概略図である。図５では、体温モニタリング装置１、モバイルデバイス３、クラウドサーバ４および入退室管理装置５の間の点線は、それらの間の関連関係を表し、データ転送を実現することができる。図４、図５に示すように、検温モジュール１２は検温素子１２２と温度センサ１２１を含み、検温素子１２２は肌結合部１１２の表面に設けられ、温度センサ１２１は検温素子１２２と結合する。即ち、検温素子１２２で皮膚と接触することによって温度を伝導し、温度センサ１２１を介して検温素子１２２の温度を取得して体温データを得る。
【００４７】
上記肌結合部１１２は、マスクゴム接続部材１１の両端部に位置してもよく、肌結合部１１２は、対向して設けられる内面と外面を含み、体温モニタリング装置１の使用中では、肌結合部１１２の内面と外面のうちの１つは皮膚向き、その他は外側向きであり、検温素子１２２は、少なくとも１つの肌結合部１１２の内面及び／又は外面に配置されてもよい。例えば、一実施例では、検温モジュール１２は２つの検温素子１２２と２つの温度センサ１２１を含み、２つの検温素子１２２はそれぞれ２つの肌結合部１１２の内面に設けられ、２つの温度センサ１２１は、対応する検温素子１２２の温度を容易に取得するように、それぞれ検温素子１２２の下方に設けられる。ユーザがマスク２および上記体温モニタリング装置１を着用している時、マスクゴム接続部材１１の両端部の肌結合部１１２は、それぞれユーザの耳の後ろの皮膚の位置に対応し、肌結合部１１２に設けられる検温素子１２２は、両耳の後ろの皮膚に接触することによって体温を伝導することができ、２つの検温素子１２２を設けることによって体温収集データが追加され、体温モニタリングの正確性の向上に有利である。
【００４８】
他の一実施例では、検温モジュール１２は１つの検温素子１２２と１つの温度センサ１２１を含んでもよく、１つの検温素子１２２は、１つの肌結合部１１２の内面に設けられ、温度センサ１２１は、対応する検温素子１２２の温度を容易に取得するように、それぞれ検温素子１２２の下方に設けられる。ユーザがマスク２および上記体温モニタリング装置１を着用している時、マスクゴム接続部材１１の一端の肌結合部１１２はそれぞれユーザの耳の後ろの皮膚の位置に対応し、肌結合部１１２に設けられる検温素子１２２は、耳の後ろの皮膚に接触することによって体温を伝導することができ、１つの検温素子１２２と１つの温度センサ１２１を配置することによって、体温モニタリングの正確性が確保可能であるだけではなく、体温モニタリング装置１のコストも削減する。
【００４９】
なお、検温素子１２２は、円形、四角形、又は他の不規則な形状の構造の金属板であってもよく、本開示はこれについて限定しない。金属板は係止、接着などの方法でマスクゴム接続部材１１に組み込まれても良い。上記金属板は鋼板であるか、又は他の金属の板状構造であってもよく、本開示はこれについて限定しない。また、他の実施例では、検温素子１２２は、温度を伝導できる他の材質を用いても良い。
【００５０】
他の実施例では、検温モジュール１２は、赤外線送受信機であってもよく、赤外線の放射エネルギーが体温と関連しているため、人体から放射された赤外線を受光し且つ受光した赤外線の放射エネルギーを電気信号に変換することによって、変換された電気信号で人体の体温を表すことができるようになる。
【００５１】
上記実施例では、マスクゴム接続部材１１の肌結合部１１２は、収納溝１１２１を設けてもよく、検温モジュール１２の少なくとも一部の構造は上記収納溝１１２１に収納される。検温モジュール１２が検温素子１２２と温度センサ１２１を含む場合、温度センサ１２１は収納溝１１２１に収納され、検温素子１２２の一部の構造は、皮膚に接触して温度伝導を実現するように、上記収納溝１１２１から突出してもよい。検温モジュール１２が赤外線送受信機である場合、赤外線送受信機は上記収納溝１１２１に組み込まれてもよい。
【００５２】
一部の実施例では、図４、図５に示すように、体温モニタリング装置１は無線関連付けモジュール１２３をさらに含んでもよく、無線関連付けモジュール１２３は、検温モジュール１２が収集した体温履歴データをモバイルデバイス３又はクラウドサーバ４に送信するように、検温モジュール１２に電気的に接続されてモバイルデバイス３に関連付けられており、モバイルデバイス３又はクラウドサーバ４はさらに、記憶された体温履歴データを用いて入退室管理装置５等の外出するための装置に対して体温関連制御を行うことができる。又は、体温モニタリング装置１はさらに、検温モジュール１２を介してモバイルデバイス３等の周辺機器から制御命令を受信することができる。無線関連付けモジュール１２３は、検温モジュール１２との電気的接続を容易にするように、上記収納溝１１２１内に配置されてもよい。
【００５３】
なお、上記無線関連付けモジュール１２３は、ブルートゥース（登録商標）モジュール、ＷＩＦＩモジュールおよびｚｉｇｂｅｅモジュールのうちの少なくとも一つであってもよく、上記モバイルデバイス３は、携帯電話、タブレット、車載端末、医療端末等であってもよく、本開示は、これについて限定しない。例えば、モバイルデバイス３が携帯電話である場合、体温モニタリング装置１が取得したユーザの体温データは、携帯電話にリアルタイムに同期することができ、ユーザが携帯端末でソフトウェアを介してリアルタイムの体温データおよび体温履歴データをチェックすることを容易にする。
【００５４】
さらに、体温モニタリング装置１はさらに電源コンポーネント１２４を含んでもよく、電源コンポーネント１２４は、継続使用のための電力を無線関連付けモジュール１２３および検温モジュール１２に供給するように、無線関連付けモジュール１２３および検温モジュール１２に電気的に接続されてもよい。電源コンポーネント１２４は、無線関連付けモジュール１２３および検温モジュール１２との電気的接続を容易にするように、上記収納溝１１２１内に配置されてもよい。上記検温モジュール１２と無線関連付けモジュール１２３は、占有スペースを減少させるとともに電源コンポーネント１２４と無線関連付けモジュール１２３および検温モジュール１２との電気的接続を容易にするように、一体式構造としてパッケージングされて電源コンポーネント１２４の上方に配置されてもよい。
【００５５】
本開示は、マスク２アセンブリをさらに提供し、図６に示すように、マスク２アセンブリは、マスク２および体温モニタリング装置１を含む。マスク２は、マスク本体２１と、マスク本体２１に設けられるマスクゴム２２とを含み、体温モニタリング装置１はマスクゴム２２と結合する。
【００５６】
本開示の体温モニタリング装置１は、マスクゴム接続部材１１と、マスクゴム接続部材１１に組み込まれる検温モジュール１２を含み、マスクゴム接続部材１１のマスクゴム結合部１１１には、マスクゴム２２と結合する係止溝１１１１が設けられ、検温モジュール１２はマスクゴム接続部材１１の肌結合部１１２に設けられ、ユーザがマスク２を着用している間、体温モニタリング装置１は、検温モジュール１２を介してユーザの動的な体温履歴データを取得することができ、体温データのモニタリング効果を向上させる。体温モニタリング装置１によって取得された体温履歴データには、ユーザがマスク２を着用している時間帯全体の体温履歴データが含まれているため、上記体温履歴データに対するモニタリングと分析を通じてユーザの体温状態を正確に取得することができ、検温装置およびそれによって取得された体温データの適用シーンを充実させる。
【００５７】
本開示はさらに、上記体温モニタリング装置又は上記マスクアセンブリに適用される入退室制御方法を提供する。図７は、本開示の例示的な一実施例に係る入退室制御方法のフローチャートである。図７に示すように、上記入退室制御方法は以下のステップを通じて実現することができる。
【００５８】
ステップ７０１では、ユーザが体温モニタリング装置又はマスクアセンブリを着用している間の体温履歴データを取得する。
【００５９】
ステップ７０２では、モバイルデバイス及び／又はクラウドサーバに体温履歴データを送信する。
【００６０】
上記実施例では、体温モニタリング装置は、ユーザが体温モニタリング装置又はマスクアセンブリを着用している間の取得された体温履歴データをモバイルデバイス及び／又はクラウドサーバに送信するように、無線関連付けモジュールを介してモバイルデバイス又はクラウドサーバに関連付けられてもよい。
【００６１】
上記体温モニタリング装置が取得した体温履歴データは一定期間内の動的データであるため、上記体温履歴データをモバイルデバイスに送信する場合に、モバイルデバイスでユーザの体温の変化を表示でき、体温状態をより正確かつ直観的にモニタリングすることができる。上記体温履歴データをクラウドサーバに送信する場合に、クラウドサーバを介してユーザの体温履歴データを管理及び保存することができ、入退室管理装置のような他の装置における体温履歴データの適用に有利である。
【００６２】
本開示は、上記の入退室制御方法の実施例に対応して、入退室制御装置の実施例をさらに提供する。本開示がさらに提示する入退室制御装置は、上記体温モニタリング装置又はマスクアセンブリに適用される。図８は、本開示の例示的な一実施例に係る入退室制御装置の構造ブロック図である。図８に示すように、上記入退室制御装置８０は第１の取得ユニット８０１と送信ユニット８０２を含んでも良い。
【００６３】
第１の取得ユニット８０１は、ユーザが体温モニタリング装置又はマスクアセンブリを着用している間の体温履歴データを取得するように構成される。
【００６４】
送信ユニット８０２は、モバイルデバイス及び／又はクラウドサーバに体温履歴データを送信するように構成される。
【００６５】
上記実施例では、体温モニタリング装置は、ユーザが体温モニタリング装置又はマスクアセンブリを着用している間の取得された体温履歴データをモバイルデバイス及び／又はクラウドサーバに送信するように、無線関連付けモジュールを介してモバイルデバイス又はクラウドサーバに関連付けられてもよい。
【００６６】
上記体温モニタリング装置が取得した体温履歴データは一定期間内の動的データであるため、上記体温履歴データをモバイルデバイスに送信する場合に、モバイルデバイスでユーザの体温の変化を表示でき、体温状態をより正確かつ直観的にモニタリングすることができる。上記体温履歴データをクラウドサーバに送信する場合に、クラウドサーバを介してユーザの体温履歴データを管理及び保存することができ、入退室管理装置のような他の装置における体温履歴データの適用に有利である。
【００６７】
上記実施例の装置について、各ユニットが操作を実行する具体的な方法は、すでに該方法に係る実施例において詳しく説明されたので、ここでは詳細な説明は省略する。
【００６８】
装置の実施例に対しては、基本的に方法の実施例に対応するので、関連部分は方法の実施例の一部の説明を参照すればよい。上記で説明された装置の実施例は例示的なものに過ぎず、分離した部品として説明されたユニットは物理的に分離しているものか、又は物理的に分離しているものでなくてもよく、ユニットとして表示された部品は物理的なユニットであるか、物理的なユニットでなくても良く、即ち一箇所に位置してもよく、あるいは複数のネットワークユニットに分布してもよい。実際の需要に応じて、そのうちの一部又はすべてのモジュールを選択して本開示の目的を実現することができる。当業者は創造的な労力なしに、理解及び実施することができる。
【００６９】
それに応じて、本開示は、プロセッサと、プロセッサに実行可能な命令を記憶するためのメモリとを含む入退室制御装置をさらに提供する。前記プロセッサは、ユーザが体温モニタリング装置又はマスクアセンブリを着用している間の体温履歴データを取得してモバイルデバイス及び／又はクラウドサーバに送信するように構成される。
【００７０】
それに応じて、本開示は、メモリと、１つ又は複数のプログラムとを含む端末をさらに提供する。１つ又は複数のプログラムはメモリに記憶され、且つ設定することにより、１つ又は複数のプロセッサは、前記１つ又は複数のプログラムに含まれる、以下の操作を行うための命令を実行する：ユーザが体温モニタリング装置又はマスクアセンブリを着用している間の体温履歴データを取得し、モバイルデバイス及び／又はクラウドサーバに体温履歴データを送信する。
【００７１】
図９は、本開示の例示的な一実施例に示す入退室制御用の装置９００のブロック図である。例えば、装置９００は携帯電話、コンピュータ、デジタル放送端末、送受信機、ゲーム機、タブレットデバイス、医療機器、フィットネス機器、携帯情報端末等であってもよい。
【００７２】
図９に示すように、装置９００は、処理コンポーネント９０２、メモリ９０４、電源コンポーネント９０６、マルチメディアコンポーネント９０８、オーディオコンポーネント９１０、入力／出力（Ｉ／Ｏ）インターフェース９１２、センサコンポーネント９１４、及び通信コンポーネント９１６のうちの１つ又は複数の部品を含んでも良い。
【００７３】
処理コンポーネント９０２は通常、装置９００全般の操作、例えば表示、電話の呼び出し、データ通信、カメラ操作及び記録操作に関連する操作を制御する。処理コンポーネント９０２は、上記方法の全部又は一部のステップを完成するように命令を実行する１つ又は複数のプロセッサ９２０を含んでも良い。また、処理コンポーネント９０２は、他のモジュールとの間のインタラクションを容易にするように、１つ又は複数のモジュールを含んでも良い。例えば、処理コンポーネント９０２は、マルチメディアコンポーネント９０８との間のインタラクションを容易にするように、マルチメディアモジュールを含んでも良い。
【００７４】
メモリ９０４は、装置９００での操作をサポートするために、様々な種類のデータを記憶するように設定されている。これらのデータの例は、装置９００で操作されるあらゆるアプリケーション又は方法の命令、連絡先データ、電話帳データ、メッセージ、画像、ビデオ等を含む。メモリ９０４は、スタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクのようなあらゆる種類の揮発性メモリ又は不揮発性メモリ又はそれらの組み合わせで実現することができる。
【００７５】
電源コンポーネント９０６は装置９００の様々な部品に電力を供給する。電源コンポーネント９０６は、電源管理システム、１つ又は複数の電源、及び装置９００のために電力を生成、管理及び分配することに関連する他の部品を含んでも良い。
【００７６】
マルチメディアコンポーネント９０８は、前記装置９００とユーザとの間に１つの出力インターフェースを提供するスクリーンを含む。一部の実施例では、スクリーンは液晶ディスプレイ（ＬＣＤ）とタッチパネル（ＴＰ）を含んでも良い。スクリーンは、タッチパネルを含む場合、ユーザからの入力信号を受信するために、タッチスクリーンとして具現化することができる。タッチパネルは、タッチ、スライド、及びタッチパネルにおけるジェスチャーを検出するように、１つ又は複数のタッチセンサを含む。前記タッチセンサは、タッチ操作又はスライド操作の境界を検出できるうえ、前記タッチ操作又はスライド操作に関連する持続時間と圧力を検出することもできる。一部の実施例では、マルチメディアコンポーネント９０８は、１つの前面カメラ及び／又は背面カメラを含む。装置９００が撮影モード又はビデオモードのような動作モードにある場合、前面カメラ及び／又は背面カメラは外部からのマルチメディアデータを受信することができる。各前面カメラと背面カメラは、１つの固定された光学レンズシステムであるか、又は焦点距離と光学ズーム能力を有するシステムであってもよい。
【００７７】
オーディオコンポーネント９１０は、オーディオ信号を出力及び／又は入力するように構成される。例えば、オーディオコンポーネント９１０は１つのマイクロフォン（ＭＩＣ）を含み、装置９００が通話モード、記録モード及び音声認識モードのような操作モードにある場合、マイクロフォンは、外部のオーディオ信号を受信するように構成される。受信されたオーディオ信号は、さらにメモリ９０４に記憶するか、又は通信コンポーネント９１６を介して送信されてもよい。一部の実施例では、オーディオコンポーネント９１０は、オーディオ信号を出力するための１つのスピーカをさらに含む。
【００７８】
Ｉ／Ｏインターフェース９１２は、処理コンポーネント９０２と周辺インターフェースモジュールとの間にインターフェースを提供し、上記周辺インターフェースモジュールはキーボード、クリックホイール、ボタン等であってもよい。これらのボタンは、ホームボタン、音量ボタン、電源ボタン及びロックボタンを含むが、これらに限定されない。
【００７９】
センサコンポーネント９１４は、装置９００のために各側面の状態評価を提供するために、１つ又は複数のセンサを含む。例えば、センサコンポーネント９１４は、装置９００のオン／オフ状態と、装置９００のディスプレイ及びキーパッドのような部品の相対位置とを検出できるうえ、装置９００又は装置９００の１つの部品の位置の変化、ユーザと装置９００との接触が存在するか否か、装置９００の向きと位置又は加速／減速及び装置９００の温度変化を検出することもできる。センサコンポーネント９１４は、如何なる物理的接触もない時に周辺物体の存在を検出するように構成される接近センサを含んでも良い。センサコンポーネント９１４は、画像形成用途で用いられている、ＣＭＯＳ又はＣＣＤ画像センサのような光センサをさらに含んでも良い。一部の実施例では、該センサコンポーネント９１４は加速度センサ、ジャイロセンサ、磁気センサ、圧力センサ又は温度センサをさらに含んでも良い。
【００８０】
通信コンポーネント９１６は、装置９００と他のデバイスとの間の有線又は無線通信を容易にするように構成される。装置９００は、通信規格に基づく無線ネットワーク、例えばＷｉＦｉ、２Ｇ又は３Ｇ、４Ｇ  ＬＴＥ、５Ｇ  ＮＲ又はそれらの組み合わせにアクセスすることができる。例示的な一実施例では、通信コンポーネント９１６はブロードキャストチャネルを介して外部ブロードキャスト管理システムからのブロードキャスト信号又はブロードキャスト関連情報を受信する。例示的な一実施例では、前記通信コンポーネント９１６は、近距離通信を促進するように、近距離無線通信（ＮＦＣ）モジュールをさらに含む。例えば、ＮＦＣモジュールにおいて、無線周波数識別（ＲＦＩＤ）技術、赤外線データ協会（ＩｒＤＡ）技術、超広帯域無線（ＵＷＢ）技術、ブルートゥース（ＢＴ）技術及び他の技術に基づいて実現することができる。
【００８１】
例示的な実施例では、装置９００は、上記方法を実行するために、１つ又は複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他の電子部品で具現化することができる。
【００８２】
例示的な実施例では、命令を含む非一時的なコンピュータ読み取り可能な記録媒体、例えば命令を含むメモリ９０４がさらに提供される。上記命令は、上記体温モニタリング装置又は上記マスクアセンブリに適用される入退室制御方法を実現するように、装置９００のプロセッサ９２０によって実行されてもよく、前記非一時的なコンピュータ読み取り可能な記録媒体はＲＯＭ、ランダムアクセスメモリ（ＲＡＭ）、ＣＤ−ＲＯＭ、テープ、フロッピーディスク及び光学データ記憶装置等であっても良い。
【００８３】
本開示は、入退室管理装置に適用される入退室制御方法をさらに提供する。図１０は、本開示の他の例示的な一実施例に係る入退室制御方法のフローチャートである。図１０に示すように、上記入退室制御方法は以下のステップで実現することができる：
【００８４】
ステップ１００１では、入退室管理カードに由来する身分情報を受信する。
【００８５】
入退室管理カードにユーザの身分情報が含まれ、入退室管理装置に入退室管理カードを通す場合に、入退室管理装置は入退室管理カード内の身分情報を受信することができる。上記入退室管理カードは団地やオフィスビルの入退室管理カードであるか、又は会社の電子社員証であってもよい。
【００８６】
ステップ１００２では、身分情報に対応する体温履歴データをクラウドサーバから取得し、体温履歴データは検温装置及び／又はモバイルデバイスによってクラウドサーバに送信される。
【００８７】
ステップ１００３では、予め設定された検証パラメータが出入り制限解除条件を満たすか否かを判断し、条件が満たされる場合、出入り制限解除信号を送信する。予め設定された検証パラメータは、少なくとも身分情報および身分情報に対応する体温履歴データを含む。
【００８８】
入退室管理カードが提供する身分情報に基づいて、対応する体温履歴データをクラウドサーバから取得し、体温履歴データは検温装置及び／又はモバイルデバイスによってクラウドサーバに送信される。即ち、入退室管理カードを介してユーザの体温履歴データに対する関連付けと識別を実現し、身分情報および身分情報に対応する体温履歴データを入退室管理装置の予め設定された検証パラメータの１つとし、入退室管理装置に体温検証機能を追加し、入退室管理装置の機能を充実させて作業効率を向上させる。
【００８９】
上記入退室制御方法の実施例に対応して、本開示はさらに入退室制御装置の実施例を提供する。本開示は、入退室管理装置に適用される入退室制御装置をさらに提供する。図１１は、本開示の他の例示的な一実施例に係る入退室制御装置の構造ブロック図である。図１１に示すように、上記入退室制御装置１１０は、受信ユニット１１０１、第２の取得ユニット１１０２及び判断ユニット１１０３を含む。
【００９０】
受信ユニット１１０１は、入退室管理カードに由来する身分情報を受信するように構成される。
【００９１】
第２の取得ユニット１１０２は、身分情報に対応する体温履歴データをクラウドサーバから取得するように構成される。体温履歴データは、検温装置及び／又はモバイルデバイスによってクラウドサーバに送信される。
【００９２】
判断ユニット１１０３は、予め設定された検証パラメータが出入り制限解除条件を満たすか否かを判断し、条件が満たされる場合、出入り制限解除信号を送信するように構成される。予め設定された検証パラメータは、少なくとも身分情報および身分情報に対応する体温履歴データを含む。
【００９３】
入退室管理カードが提供する身分情報に基づいて、対応する体温履歴データをクラウドサーバから取得し、体温履歴データは検温装置及び／又はモバイルデバイスによってクラウドサーバに送信される。即ち、入退室管理カードを介してユーザの体温履歴データに対する関連付けと識別を実現し、身分情報および身分情報に対応する体温履歴データを入退室管理装置の予め設定された検証パラメータの１つとし、入退室管理装置に体温検証機能を追加し、入退室管理装置の機能を充実させて作業効率を向上させる。
【００９４】
上記実施例の装置について、各ユニットが操作を実行する具体的な方法は、すでに該方法に係る実施例において詳しく説明されたので、ここでは詳細な説明は省略する。
【００９５】
装置の実施例に対しては、基本的に方法の実施例に対応するので、関連部分は方法の実施例の一部の説明を参照すればよい。上記で説明された装置の実施例は例示的なものに過ぎず、分離した部品として説明されたユニットは物理的に分離しているものか、又は物理的に分離しているものでなくてもよく、ユニットとして表示された部品は物理的なユニットであるか、物理的なユニットでなくても良く、即ち一箇所に位置してもよく、あるいは複数のネットワークユニットに分布してもよい。実際の需要に応じて、そのうちの一部又はすべてのモジュールを選択して本開示の目的を実現することができる。当業者は創造的な労力なしに、理解及び実施することができる。
【００９６】
それに応じて、本開示は、プロセッサと、プロセッサで実行可能な命令を記憶するためのメモリとを含む入退室制御装置をさらに提供する。前記プロセッサは、以下のように構成される：入退室管理カードに由来する身分情報を受信する。身分情報に対応する体温履歴データをクラウドサーバから取得する。体温履歴データは、検温装置及び／又はモバイルデバイスによってクラウドサーバに送信される。予め設定された検証パラメータが出入り制限解除条件を満たすか否かを判断し、条件が満たされる場合、出入り制限解除信号を送信する。予め設定された検証パラメータは、少なくとも身分情報および身分情報に対応する体温履歴データを含む。
【００９７】
それに応じて、本開示はさらに端末を提供し、前記端末はメモリと、１つ又は複数のプログラムとを含み、１つ又は複数のプログラムはメモリに記憶され、且つ設定することにより、１つ又は複数のプロセッサは、前記１つ又は複数のプログラムに含まれる、以下の操作を行うための命令を実行する：入退室管理カードに由来する身分情報を受信する。身分情報に対応する体温履歴データをクラウドサーバから取得し、体温履歴データは検温装置及び／又はモバイルデバイスによってクラウドサーバに送信される。予め設定された検証パラメータが出入り制限解除条件を満たすか否かを判断し、条件が満たされる場合、出入り制限解除信号を送信し、予め設定された検証パラメータは、少なくとも身分情報および身分情報に対応する体温履歴データを含む。
【００９８】
図１２は、本開示の他の例示的な一実施例に示す入退室制御用装置１２００のブロック図である。例えば、装置１２００は携帯電話、コンピュータ、デジタル放送端末、送受信機、ゲーム機、タブレットデバイス、医療機器、フィットネス機器、携帯情報端末等であってもよい。
【００９９】
図１２に示すように、装置１２００は、処理コンポーネント１２０２、メモリ１２０４、電源コンポーネント１２０６、マルチメディアコンポーネント１２０８、オーディオコンポーネント１２１０、入力／出力（Ｉ／Ｏ）インターフェース１２１２、センサコンポーネント１２１４、及び通信コンポーネント１２１６のうちの１つ又は複数の部品を含んでも良い。
【０１００】
処理コンポーネント１２０２は通常、装置１２００全般の操作、例えば表示、電話の呼び出し、データ通信、カメラ操作及び記録操作に関連する操作を制御する。処理コンポーネント１２０２は、上記方法の全部又は一部のステップを完成するように命令を実行する１つ又は複数のプロセッサ１２２０を含んでも良い。また、処理コンポーネント１２０２は、他のモジュールとの間のインタラクションを容易にするように、１つ又は複数のモジュールを含んでも良い。例えば、処理コンポーネント１２０２は、マルチメディアコンポーネント１２０８との間のインタラクションを容易にするように、マルチメディアモジュールを含んでも良い。
【０１０１】
メモリ１２０４は、装置１２００での操作をサポートするために、様々な種類のデータを記憶するように、設定されている。これらのデータの例は、装置１２００で操作されるあらゆるアプリケーション又は方法の命令、連絡先データ、電話帳データ、メッセージ、画像、ビデオ等を含む。メモリ１２０４は、スタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクのようなあらゆる種類の揮発性メモリ又は不揮発性メモリ又はそれらの組み合わせで実現することができる。
【０１０２】
電源コンポーネント１２０６は装置１２００の様々な部品に電力を供給する。電源コンポーネント１２０６は、電源管理システム、１つ又は複数の電源、及び装置１２００のために電力を生成、管理及び分配することに関連する他の部品を含んでも良い。
【０１０３】
マルチメディアコンポーネント１２０８は、前記装置１２００とユーザとの間に１つの出力インターフェースを提供するスクリーンを含む。一部の実施例では、スクリーンは液晶ディスプレイ（ＬＣＤ）とタッチパネル（ＴＰ）を含んでも良い。スクリーンは、タッチパネルを含む場合、ユーザからの入力信号を受信するために、タッチスクリーンとして具現化することができる。タッチパネルは、タッチ、スライド、及びタッチパネルにおけるジェスチャーを検出するように、１つ又は複数のタッチセンサを含む。前記タッチセンサは、タッチ操作又はスライド操作の境界を検出できるうえ、前記タッチ操作又はスライド操作に関連する持続時間と圧力を検出することもできる。一部の実施例では、マルチメディアコンポーネント１２０８は、１つの前面カメラ及び／又は背面カメラを含む。装置１２００が撮影モード又はビデオモードのような動作モードにある場合、前面カメラ及び／又は背面カメラは外部からのマルチメディアデータを受信することができる。各前面カメラと背面カメラは、１つの固定された光学レンズシステムであるか、又は焦点距離と光学ズーム能力を有するシステムであってもよい。
【０１０４】
オーディオコンポーネント１２１０は、オーディオ信号を出力及び／又は入力するように構成される。例えば、オーディオコンポーネント１２１０は１つのマイクロフォン（ＭＩＣ）を含み、装置１２００が通話モード、記録モード及び音声認識モードのような操作モードにある場合、マイクロフォンは、外部のオーディオ信号を受信するように構成される。受信されたオーディオ信号は、さらにメモリ１２０４に記憶するか、又は通信コンポーネント１２１６を介して送信されてもよい。一部の実施例では、オーディオコンポーネント１２１０は、オーディオ信号を出力するための１つのスピーカをさらに含む。
【０１０５】
Ｉ／Ｏインターフェース１２１２は、処理コンポーネント１２０２と周辺インターフェースモジュールとの間にインターフェースを提供し、上記周辺インターフェースモジュールはキーボード、クリックホイール、ボタン等であってもよい。これらのボタンは、ホームボタン、音量ボタン、電源ボタン及びロックボタンを含むが、これらに限定されない。
【０１０６】
センサコンポーネント１２１４は、装置１２００のために各側面の状態評価を提供するために、１つ又は複数のセンサを含む。例えば、センサコンポーネント１２１４は、装置１２００のオン／オフ状態と、装置１２００のディスプレイ及びキーパッドのような部品の相対位置とを検出できるうえ、装置１２００又は装置１２００の１つの部品の位置の変化、ユーザと装置１２００との接触が存在するか否か、装置１２００の向きと位置又は加速／減速及び装置１２００の温度変化を検出することもできる。センサコンポーネント１２１４は、如何なる物理的接触もない時に周辺物体の存在を検出するように構成される接近センサを含んでも良い。センサコンポーネント１２１４は、画像形成用途で用いられている、ＣＭＯＳ又はＣＣＤ画像センサのような光センサをさらに含んでも良い。一部の実施例では、該センサコンポーネント１２１４は加速度センサ、ジャイロセンサ、磁気センサ、圧力センサ又は温度センサをさらに含んでも良い。
【０１０７】
通信コンポーネント１２１６は、装置１２００と他のデバイスとの間の有線又は無線通信を容易にするように構成される。装置１２００は、通信規格に基づく無線ネットワーク、例えばＷｉＦｉ、２Ｇ又は３Ｇ、４Ｇ  ＬＴＥ、５Ｇ  ＮＲ又はそれらの組み合わせにアクセスすることができる。例示的な一実施例では、通信コンポーネント１２１６はブロードキャストチャネルを介して外部ブロードキャスト管理システムからのブロードキャスト信号又はブロードキャスト関連情報を受信する。例示的な一実施例では、前記通信コンポーネント１２１６は、近距離通信を促進するように、近距離無線通信（ＮＦＣ）モジュールをさらに含む。例えば、ＮＦＣモジュールにおいて、無線周波数識別（ＲＦＩＤ）技術、赤外線データ協会（ＩｒＤＡ）技術、超広帯域無線（ＵＷＢ）技術、ブルートゥース（ＢＴ）技術及び他の技術に基づいて実現することができる。
【０１０８】
例示的な実施例では、装置１２００は、上記方法を実行するために、１つ又は複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他の電子部品で具現化することができる。
【０１０９】
例示的な実施例では、命令を含む非一時的なコンピュータ読み取り可能な記録媒体、例えば命令を含むメモリ１２０４がさらに提供される。上記命令は、上記体温モニタリング装置又は上記マスクアセンブリに適用される入退室制御方法を実現するように、装置１２００のプロセッサ１２２０によって実行されてもよく、前記非一時的なコンピュータ読み取り可能な記録媒体はＲＯＭ、ランダムアクセスメモリ（ＲＡＭ）、ＣＤ−ＲＯＭ、テープ、フロッピーディスク及び光学データ記憶装置等であっても良い。
【０１１０】
図１３は、本開示の他の例示的な一実施例に示す入退室制御用装置１３００のブロック図である。例えば、装置１３００はサーバとして提供することができる。図１３に示すように、装置１３００は、処理コンポーネント１３２２を含み、さらに、１つ又は複数のプロセッサと、メモリ１３３２によって代表される、処理コンポーネント１３２２によって実行可能な命令を記憶するためのメモリリソース、例えばアプリケーションとを含む。メモリ１３３２に記憶されたアプリケーションは、それぞれ一連の命令に対応する１つ又は複数のモジュールを含んでも良い。それ以外、処理コンポーネント１３２２は、上記方法を実行するために命令を実行するように構成される。
【０１１１】
装置１３００はさらに、装置１３００の電源管理を実行するように構成される１つの電源コンポーネント１３２６と、装置１３００をネットワーク及び１つの入力出力（Ｉ／Ｏ）インターフェース１３５８に接続するように構成される１つの有線又は無線ネットワークインターフェース１３５０とを含む。装置１３００は、メモリ１３３２に記憶される操作システム、例えばＷｉｎｄｏｗｓ  ＳｅｒｖｅｒＴＭ、Ｍａｃ  ＯＳ  ＸＴＭ、ＵｎｉｘＴＭ、Ｌｉｎｕｘ（登録商標）ＴＭ、ＦｒｅｅＢＳＤＴＭのようなシステムに基づくものであっても良い。
【０１１２】
本開示はさらに入退室制御システムを提供し、入退室制御システムは、上記体温モニタリング装置、入退室管理装置及びクラウドサーバを含む。検温装置は、ユーザが体温モニタリング装置又はマスクアセンブリを着用している間の体温履歴データを取得することに用いられる。クラウドサーバは、少なくとも一部の予め設定された検証パラメータを記憶及び管理することに用いられ、少なくとも一部の予め設定された検証パラメータは、検温装置及び／又はモバイルデバイスによってクラウドサーバに送信された体温履歴データを含む。入退室管理装置は、クラウドサーバに接続され、予め設定された検証パラメータが出入り制限解除条件を満たすか否かを判断し、条件が満たされる場合、出入り制限解除信号を送信し、且つ出入り制限解除信号に基づいて出入り制限を解除することに用いられる。予め設定された検証パラメータは、少なくとも身分情報および身分情報に対応する体温履歴データを含む。
【０１１３】
図１４は、本開示の例示的な一実施例に係る入退室制御のインタラクション概略図である。
【０１１４】
図１４に示すように、ステップ１４０１では、体温モニタリング装置は、ユーザが体温モニタリング装置又はマスクアセンブリを着用している間の体温履歴データを取得する。
【０１１５】
ステップ１４０２では、体温モニタリング装置はクラウドサーバに体温履歴データを送信する。
【０１１６】
ステップ１４０３では、入退室管理装置は入退室管理カードに由来する身分情報を受信する。
【０１１７】
入退室管理カードにユーザの身分情報が含まれ、入退室管理装置に入退室管理カードを通す場合に、入退室管理装置は入退室管理カード内の身分情報を受信することができる。上記入退室管理カードは団地やオフィスビルの入退室管理カードであるか、又は会社の電子社員証であってもよい。
【０１１８】
ステップ１４０４では、入退室管理装置は、身分情報に対応する体温履歴データ取得リクエストをクラウドサーバに送信する。
【０１１９】
ステップ１４０５では、クラウドサーバは、身分情報に対応する体温履歴データを入退室管理装置に送信する。
【０１２０】
ステップ１４０６では、入退室管理装置は、予め設定された検証パラメータが出入り制限解除条件を満たすか否かを判断し、条件が満たされる場合、出入り制限解除信号を送信し、且つ出入り制限解除信号に基づいて出入り制限を解除する。予め設定された検証パラメータは、少なくとも身分情報および身分情報に対応する体温履歴データを含む。
【０１２１】
上記実施例では、体温モニタリング装置は、取得された、ユーザが体温モニタリング装置又はマスクアセンブリを着用している間の体温履歴データをクラウドサーバに送信するように、無線関連付けモジュールを介してモバイルデバイス又はクラウドサーバに関連付けられてもよい。
【０１２２】
上記体温モニタリング装置が取得した体温履歴データは一定期間内の動的データであるため、上記体温履歴データをクラウドサーバに送信する場合に、クラウドサーバを介してユーザの体温履歴データを管理及び保存することができ、入退室管理装置のような他の装置における体温履歴データの適用に有利である。
【０１２３】
本開示はさらに入退室制御システムを提供し、入退室制御システムは体温モニタリング装置、入退室管理装置及びクラウドサーバを含む。検温装置は、ユーザが体温モニタリング装置又は前記マスクアセンブリを着用している間の体温履歴データを取得することに用いられる。クラウドサーバは、少なくとも一部の予め設定された検証パラメータを記憶及び管理して予め設定された検証パラメータが出入り制限解除条件を満たすか否かを判断し、条件が満たされる場合、出入り制限解除信号を送信することに用いられる。予め設定された検証パラメータは、少なくとも身分情報および身分情報に対応する体温履歴データを含む。上記少なくとも一部の予め設定された検証パラメータは、検温装置及び／又はモバイルデバイスによってクラウドサーバに送信された体温履歴データを含む。入退室管理装置は、クラウドサーバに接続され、出入り制限解除信号を受信する場合に、出入り制限を解除することに用いられる。
【０１２４】
図１５は、本開示の他の例示的な一実施例に係る入退室制御のインタラクション概略図である。
【０１２５】
図１５に示すように、ステップ１５０１では、体温モニタリング装置は、ユーザが体温モニタリング装置又はマスクアセンブリを着用している間の体温履歴データを取得する。
【０１２６】
ステップ１５０２では、体温モニタリング装置はクラウドサーバに体温履歴データを送信する。
【０１２７】
ステップ１５０３では、入退室管理装置は入退室管理カードに由来する身分情報を受信する。
【０１２８】
入退室管理カードにユーザの身分情報が含まれ、入退室管理装置に入退室管理カードを通す場合に、入退室管理装置は入退室管理カード内の身分情報を受信することができる。上記入退室管理カードは団地やオフィスビルの入退室管理カードであるか、又は会社の電子社員証であってもよい。
【０１２９】
ステップ１５０４では、身分情報を入退室管理装置はクラウドサーバに送信する。
【０１３０】
ステップ１５０５では、クラウドサーバは、予め設定された検証パラメータが出入り制限解除条件を満たすか否かを判断する。予め設定された検証パラメータは、少なくとも身分情報および身分情報に対応する体温履歴データを含む。
【０１３１】
ステップ１５０６では、予め設定された検証パラメータが出入り制限解除条件を満たす場合、クラウドサーバは出入り制限解除信号を入退室管理装置に送信する。
【０１３２】
ステップ１５０７では、入退室管理装置は、クラウドサーバによって送信された出入り制限解除信号を受信し、且つ出入り制限解除信号に基づいて出入り制限を解除する。
【０１３３】
上記実施例では、体温モニタリング装置は、ユーザが体温モニタリング装置又はマスクアセンブリを着用している間の取得された体温履歴データをクラウドサーバに送信するように、無線関連付けモジュールを介してモバイルデバイス又はクラウドサーバに関連付けられてもよい。
【０１３４】
上記体温モニタリング装置が取得した体温履歴データは一定期間内の動的データであるため、上記体温履歴データをクラウドサーバに送信する場合に、クラウドサーバを介してユーザの体温履歴データを管理及び保存することができ、入退室管理装置のような他の装置における体温履歴データの適用に有利である。クラウドサーバを利用して予め設定された検証パラメータが出入り制限解除条件を満たすか否かを判断すれば、情報転送プロセスを減少させ、予め設定された検証パラメータの判断効率を向上させると同時に、入退室管理装置の制御ステップを簡略化する。
【０１３５】
当業者は明細書を考慮し、且つここで開示された技術的解決手段を実施すれば、本開示の他の実施形態を容易に想到し得る。本開示は、本開示のあらゆる変形、用途又は適応性変化をカバーすることを意図しており、これらの変形、用途又は適応性変化は、本開示の一般的原理に従い、且つ本開示によって開示されていない本技術分野での技術常識又は通常の技術手段を含む。明細書及び実施例は例示的なものに過ぎず、本開示の真の範囲と精神は以下の特許請求の範囲によって示される。
【０１３６】
なお、本開示は、上記で説明され、図面に示された厳密な構造に限定されず、その範囲を逸脱しない限り、様々な修正と変更を行うことができることを理解されたい。本開示の範囲は、添付の特許請求の範囲のみに限定される。
【要約】      （修正有）【課題】体温モニタリング装置、マスクアセンブリ、入退室制御方法、装置及びシステムを提供することにより、体温データをモニタリングする効果を向上させ、検温装置の適用シーンを充実させる。【解決手段】体温モニタリング装置１は、マスクゴム接続部材１１と、前記マスクゴム接続部材に組み込まれる検温モジュール１２とを含む。マスクゴム接続部材のマスクゴム結合部には、マスクゴムと結合する係止溝１１１１が設けられ、検温モジュールはマスクゴム接続部材の肌結合部１１２に設けられ、ユーザがマスクを着用している間、体温モニタリング装置は検温モジュールを介してユーザの動的な体温履歴データを取得することができる。体温履歴データに対するモニタリングと分析を通じてユーザの体温状態を正確に取得することができる。【選択図】図１【図１】
0006951526.tif 000002
【図２】
0006951526.tif 000003
【図３】
0006951526.tif 000004
【図４】
0006951526.tif 000005
【図５】
0006951526.tif 000006
【図６】
0006951526.tif 000007
【図７】
0006951526.tif 000008
【図８】
0006951526.tif 000009
【図９】
0006951526.tif 000010
【図１０】
0006951526.tif 000011
【図１１】
0006951526.tif 000012
【図１２】
0006951526.tif 000013
【図１３】
0006951526.tif 000014
【図１４】
0006951526.tif 000015
【図１５】
0006951526.tif 000016